(57)【要約】  【課題】洗濯物などを干す物干し紐が弛まないようにテンションを加えるための物干し紐引っ張り具に関し、ありふれた通常の紐を物干し紐として使用でき、しかも物干し紐が弛んで垂れ下がったり、傾斜するのを防止して、水平に真っ直ぐに引っ張り可能とする。  【解決手段】支持手段への取付け手段を有するメネジ筒に挿通したオネジ体の一端に、物干し紐を連結する連結手段を設けてある。そして、物干し紐の一端を連結する物干し紐引っ張り具と他端を連結する物干し紐引っ張り具とを有し、前記の一対の物干し紐引っ張り具のオネジ体は、互いに逆ネジになっているので、物干し紐を引っ張ってテンションをかける際に、物干し紐の両端が逆方向に回転してよじれるという問題が発生しない。【選択図】          図２
0003111655.tif 000002
【実用新案登録請求の範囲】
【請求項１】
支持手段への取付け手段を有するメネジ筒に挿通したオネジ体の一端に、物干し紐を連結する連結手段を設けてなることを特徴とする物干し紐引っ張り具。
【請求項２】
物干し紐の一端を連結する物干し紐引っ張り具と他端を連結する物干し紐引っ張り具とを有し、前記の一対の物干し紐引っ張り具のオネジ体は、互いに逆ネジになっていることを特徴とする請求項１に記載の物干し紐引っ張り具。                      
【請求項３】
前記のオネジ体の他端に、他の器具の取付け手段を設けてなることを特徴とする請求項１または請求項２に記載の物干し紐引っ張り具。
【請求項４】
前記のオネジ体の他端に、前記オネジ体の回転操作用の操作棒を挿通する環状部を設けてなることを特徴とする請求項１または請求項２に記載の物干し紐引っ張り具。
【考案の詳細な説明】
【技術分野】
【０００１】
本考案は、洗濯物などを干す物干し紐が弛まないようにテンションを加えるための物干し紐引っ張り具に関する。
【背景技術】
【０００２】
特開平９-75591号公報に記載のように、例えば旅行先で肌着や靴下等を洗濯したとき、物干し紐を利用してこれらの洗濯物を部屋の中に干したりしているが、従来からある物干し紐は、単なる１本の紐にすぎず、洗濯物を干した場合、洗濯物の重みで物干し紐が弛んで傾斜するため、洗濯物が片寄ってしまうという問題がある。このような問題を解決すべく、丸紐を波状に配して緯糸とし、これを経糸で連続的に編成してなる編み構造を有しており、所定の間隔ごとに上記丸紐を環状に突出せしめることによって、複数の吊り環を物干し紐の長手方向に沿って形成する構成が提案されている。
【特許文献１】特開平９-75591
【考案の開示】
【考案が解決しようとする課題】
【０００３】
しかしながら、このように物干し紐に多数の吊り環を形成して、各吊り環に洗濯物を吊り下げる構造にすると、ハンガーの使用が不可欠となり、例えばシーツなどのようにハンガーを使えない洗濯物は干せないことになる。また、物干し紐自体が複雑かつ特殊の構造となるため、高価となるだけでなく、通常の紐は使用できない、という問題が発生する。本考案の技術的課題は、このような問題に着目し、ありふれた通常の紐を物干し紐として使用でき、しかも物干し紐が弛んで垂れ下がったり、傾斜するのを防止して、水平に真っ直ぐに引っ張り可能とすることにある。
【課題を解決するための手段】
【０００４】
本考案の技術的課題は次のような手段によって解決される。請求項１は、支持手段への取付け手段を有するメネジ筒に挿通したオネジ体の一端に、物干し紐を連結する連結手段を設けてなることを特徴とする物干し紐引っ張り具である。このように、ベランダの天井部などに固定されている棹掛けフック金具などのような支持手段への取付け手段を有するメネジ筒に挿通したオネジ体の一端に、物干し紐を連結する連結手段を設けてあるため、このような物干し紐引っ張り具を物干し紐の両端に装備しておくと、両端から物干し紐にテンションを加えることができる。つまり、物干し紐の両端において、それぞれのオネジ体を回転させて物干し紐を引っ張ると、物干し紐が徐々に引っ張られてテンションが加わるので、洗濯物の重みで物干し紐が弛んで、シーツなどが床部に接触して汚れたり、物干し紐が弛んだために、ハンガーなどが傾斜部において、中央の低い方に徐々に移動して来るのを防ぐことができる。なお、この物干し紐引っ張り具を物干し紐の一端だけに装備しておき、一端からだけ、物干し紐にテンションを加えることもできる。
【０００５】
請求項２は、物干し紐の一端を連結する物干し紐引っ張り具と他端を連結する物干し紐引っ張り具とを有し、前記の一対の物干し紐引っ張り具のオネジ体は、互いに逆ネジになっていることを特徴とする請求項１に記載の物干し紐引っ張り具である。このように、物干し紐の一端を連結する物干し紐引っ張り具と他端を連結する物干し紐引っ張り具とを有し、前記の一対の物干し紐引っ張り具のオネジ体は、互いに逆ネジになっていて、片方が右ネジだと、他方は左ネジになっているため、物干し紐にテンションを加えるために、それぞれのオネジ体を後退させる方向に又は進出させる方向に回した場合に、物干し紐の両端が逆方向に回転してよじれるという問題が発生しない。
【０００６】
請求項３は、前記のオネジ体の他端に、他の器具の取付け手段を設けてなることを特徴とする請求項１または請求項２に記載の物干し紐引っ張り具である。このように、前記のオネジ体の他端に、他の器具の取付け手段を設けてあるため、この取付け手段を利用して、洗濯物などを干すためのハンガーユニットなどを引っ掛けて取付けることができ、オネジ体をテンション用以外の用途と兼用できる。
【０００７】
請求項４は、前記のオネジ体の他端に、前記オネジ体の回転操作用の操作棒を挿通する環状部を設けてなることを特徴とする請求項１または請求項２に記載の物干し紐引っ張り具である。このように、前記のオネジ体の他端に、前記オネジ体の回転操作用の操作棒を挿通する環状部を設けてあるため、この環状部に操作棒を挿入して、操作棒でオネジ体を回転操作すれば、テコの原理で容易にオネジ体を回転させることができ、女性でも楽にオネジ体の回転操作が可能となる。
【考案の効果】
【０００８】
請求項１のように、ベランダの天井部などに固定されている棹掛けフック金具などのような支持手段への取付け手段を有するメネジ筒に挿通したオネジ体の一端に、物干し紐を連結する連結手段を設けてあるため、このような物干し紐引っ張り具を物干し紐の両端に装備しておくと、両端から物干し紐にテンションを加えることができる。つまり、物干し紐の両端において、それぞれのオネジ体を回転させて物干し紐を引っ張ると、物干し紐が徐々に引っ張られてテンションが加わるので、洗濯物の重みで物干し紐が弛んで、シーツなどが床部に接触して汚れたり、物干し紐が弛んだために、ハンガーなどが傾斜部において、中央の低い方に徐々に移動して来るのを防ぐことができる。
【０００９】
請求項２のように、物干し紐の一端を連結する物干し紐引っ張り具と他端を連結する物干し紐引っ張り具とを有し、前記の一対の物干し紐引っ張り具のオネジ体が互いに逆ネジになっていて、片方が右ネジだと、他方は左ネジになっているため、物干し紐にテンションを加えるために、それぞれのオネジ体を後退させる方向に又は進出させる方向に回した場合に、物干し紐の両端が逆方向に回転してよじれるという問題が発生しない。
【００１０】
請求項３のように、前記のオネジ体の他端に、他の器具の取付け手段を設けてあるため、この取付け手段を利用して、洗濯物などを干すためのハンガーユニットなどを引っ掛けて取付けることができ、オネジ体をテンション用以外の用途と兼用できる。
【００１１】
請求項４のように、前記のオネジ体の他端に、前記オネジ体の回転操作用の操作棒を挿入する環状部を設けてあるため、この環状部に操作棒を挿入して、操作棒でオネジ体を回転操作すれば、テコの原理で容易にオネジ体を回転させることができ、女性でも楽にオネジ体の回転操作が可能となる。
【考案を実施するための最良の形態】
【００１２】
次に本考案による物干し紐引っ張り具が実際上どのように具体化されるか実施形態を説明する。図１は、本考案による物干し紐引っ張り具に使用する引っ張り具の正面図であり、メネジ筒１中にオネジ体２が螺入されている。メネジ筒１の外側面に、取付け手段となる環状に閉じた金具３を溶接固定してある。オネジ体２は、このメネジ筒１に螺入した状態で貫通させてあり、その一端に、物干し紐４を結び付けて連結するため又は物干し紐４の両端のフックを引っ掛けるための連結手段５を固設してある。実施形態では、この連結手段５も、環状に閉じた形状の金具を溶接固定してある。
【００１３】
前記オネジ体２の他端には、他の器具の取付け手段６を設けてある。この取付け手段６も、環状に閉じた形状の金具であり、具体的には真円のリングを溶接固定してある。なお、各環状金具３、連結手段５・６などは、必ずしも完全に閉じている必要はなく、一部中断した形状でも可能ではあるが、閉じている方が取付け機能が確実であり、取付け物の離脱の恐れが少ない。このような引っ張り具は、物干し紐４の一端だけに用いることも可能ではあるが、図２のように左右一対有った方が好ましい。そして、物干し紐４のねじれ防止のためには、他方の引っ張り具は、オネジ体２を逆ネジにする必要がある。
【００１４】
図２は、本考案による物干し紐引っ張り具の使用状態を示す側面図である。４は前記の物干し紐であり、その左右両端４１、４２を、本考案による引っ張り具の前記連結手段５・５に結び付けて連結してある。物干し紐４の端部に取付け用のフックが付いている場合は、連結手段５・５にフックを引っ掛けるだけで足りる。このフックと物干し紐４の端部４１、４２間に、物干し紐４の長さ調節手段が付いている場合は、物干し紐４が弛まないように、予め長さを十分に短く調節してからフックを引っ掛けるのが望ましい。
【００１５】
左側の引っ張り具は、メネジ筒１の前記取付け手段３を、ベランダなどの天井部７に固定された支持フック８に引っ掛けることによって取付けてある。図３は、左側の引っ張り具を左方向（矢印ａ１方向）から見た側面図であり、メネジ筒１の環状の取付け手段３に支持フック８を挿通してある。右側の引っ張り具も同様に、ベランダなどの天井部７に固定された支持フック８を前記取付け手段３に挿通して引っ掛けることによって取付けてある。
【００１６】
物干し紐４の捩じれ防止のために、左側のオネジ体２と右側のオネジ体２とでは、互いに逆ネジになっている。右側のオネジ体２が右ネジだとすると、左側のオネジ体２は左ネジになっている。したがって、いま物干し紐４を引っ張ってテンションを加えるために、右側の右オネジ体２を左方向に回して後退させると、左側の左オネジ体２も後退させてテンションを掛けるには、右方向に回転させる必要がある。その結果、物干し紐４は、右端は左回転するのに対し、左端は右回転するので、物干し紐全体としては同じ方向に回転するので、両端から引っ張ってテンションを加える際に、物干し紐４がよじれることはない。
【００１７】
物干し紐４をゆるめる必要がある場合は、右側の右オネジ体２は右回転させて前進させ、左側の左オネジ体２は左回転させて前進させるので、物干し紐４全体としては、右端も左端も同じ方向に回転することになり、よじれることはない。
【００１８】
こうして物干し紐４のテンション調節を終えた後は、図のように、オネジ体２の反対側の取付け手段６、６には、例えば放射状に多数の物干しバーを有するマルチ物干しユニット９の取付けフック１０を引っ掛けることによって、オネジ体２をテンション用以外にも兼用している。マルチ物干しユニット９以外の器具の取付け支持にも利用できることは言うまでもない。
【００１９】
前記のようにオネジ体２を右又は左に回転操作するには、物干し紐４の張力が強くなってくると、オネジ体２の回転操作に大きな力を要するようになる。特に、濡れた洗濯物を干してある状態の物干し紐４のテンションを強くする場合は、オネジ体２の締めつけは容易でない。したがって、オネジ体２を手で操作するだけでは回転操作力に無理があるので、他端の環状の取付け手段６に操作棒を挿通して、操作棒の両端を手に持って回転させると、テコの原理によって容易にオネジ体２を回転操作可能となる。そのため、オネジ体２の他端の環状に閉じた取付け手段６は、オネジ体２の回転操作を容易にする補助手段としても必要である。
【００２０】
ただし、図２、図３のように、物干しユニット９などのフック１０を引っ掛けるだけであれば、取付け手段６は小さなリングで足りるが、テコの原理でオネジ体２を回転させるための操作棒を挿入する場合は、操作棒を挿入可能な大きめの環状部にする必要がある。したがって、操作棒を挿入可能な大きめのリングなどを設けておけば、操作棒の挿入と、マルチ物干しユニット９のフック１０などの引っ掛け手段に兼用できる。
【００２１】
物干し紐４を連結するための取付け手段５をリング状に形成し、操作棒を挿通して回転操作することも不可能ではないが、物干し紐４が連結されていて操作の邪魔になり、また干してある洗濯物１１を操作棒で汚したりする恐れもあるので、回転操作には他端の取付け手段６を使用するのが好都合である。なお、本考案の引っ張り具におけるメネジ筒１やオネジ体２、環状金具３、連結手段５・６などは金属製でもよいが、錆発生の問題を避けるためには、合成樹脂製が好ましい。また、オネジ体２も筒状に形成することも可能である。左右の引っ張り具や物干し紐４などのサイズや各部の寸法などは任意であり、特に限定されない。
【産業上の利用可能性】
【００２２】
以上のように、オネジ体２を回転するだけで、物干し紐４に両端からテンションを加えて、真っ直ぐに張ることができるので、シーツや毛布などのような大形の洗濯物などを干す場合でも、その重みで物干し紐の中央部が垂れ下がって、洗濯物などが床に接触して汚れたりするのを防止できる。また、物干し紐４が水平にピーンと張っていて、傾斜部が存在しないため、干している最中のハンガー１２が低い方に徐々に寄って来るような問題も解消される。
【図面の簡単な説明】
【００２３】
【図１】本考案による物干し紐引っ張り具に使用する引っ張り具の正面図である。
【図２】本考案による物干し紐引っ張り具の使用状態を示す正面図である。
【図３】左側の引っ張り具の左側面図である。
【符号の説明】
【００２４】
１  メネジ筒
２  オネジ体
３  取付け手段（環状金具）
４  物干し紐
５  物干し紐の連結手段
６  他端の取付け手段
７  ベランダ天井部
８  支持フック
９  マルチ干し具
１０  取付けフック                                                                                                                              
【図１】
0003111655.tif 000003
【図２】
0003111655.tif 000004
【図３】
0003111655.tif 000005